(57)【要約】【課題】接続相手側アダプタの形状に左右されることなく光ファイバを接続することができ、また心線詰まりが発生した場合でも心線屑を容易に取り出せるようにした光ファイバアダプタおよび光ファイバ心線装着方法を提供する。【解決手段】光ファイバ心線固定部２１と光ファイバ心線把持部２２とで光ファイバアダプタ２０を構成する。光ファイバ心線固定部２１を、光ファイバ心線７の端部が挿入される本体２３と、この本体２３の先端側に取付けられたフェルール５とで構成し、本体２３のフェルール側とは反対側の端面にテーパ孔からなる嵌合孔２５を形成する。光ファイバ心線把持部２２を、光ファイバ心線７が挿通される中心孔３０を有して円錐形に形成された弾性体２８と、細長いピン状の固定具２９とで構成する。先ず、弾性体２８を本体２３の嵌合孔２５に嵌挿し、光ファイバ心線７を弾性体２８の中心孔に挿通する。次に、固定具２９を中心孔３０に挿入することにより、光ファイバ心線７を中心孔３０に固定し、弾性体２８を嵌合孔２５に固定する。【選択図】  図１
2005107244.tif 000002
【特許請求の範囲】
【請求項１】
光ファイバ心線固定部と光ファイバ心線把持部とを備え、
前記光ファイバ心線固定部を、光ファイバ心線の端部が挿入される本体と、この本体の一端側に取付けられたフェルールとで構成し、前記本体のフェルール側とは反対側の端面に嵌合孔を形成し、
前記光ファイバ心線把持部を、前記光ファイバ心線が挿通される中心孔を有して前記光ファイバ心線固定部の嵌合孔に挿抜可能に嵌挿される弾性体と、この弾性体の前記中心孔に挿抜可能に挿入されることにより前記光ファイバ心線を前記中心孔に固定するとともに、前記弾性体を前記嵌合孔に固定する固定具とで構成したことを特徴とする光ファイバアダプタ。
【請求項２】
請求項１記載の光ファイバアダプタにおいて、
前記嵌合孔をテーパ孔で構成し、前記弾性体を前記嵌合孔に嵌挿される円錐形状に形成したことを特徴とする光ファイバアダプタ。
【請求項３】
請求項１または２記載の光ファイバアダプタにおいて、
前記固定具を少なくとも一端に向かって細くなる細長い棒状体に形成したことを特徴とする光ファイバアダプタ。
【請求項４】
光ファイバ心線固定部の嵌合孔に弾性体を嵌挿し、この弾性体の中心孔に光ファイバ心線を挿通して光ファイバの先端を前記光ファイバ心線固定部の先端に設けたフェルールに挿入し、前記中心孔に固定具を挿入することにより前記弾性体を前記嵌合孔に押し付けて固定し、前記光ファイバ心線を前記中心孔に押し付けて固定するようにしたことを特徴とする光ファイバ心線の装着方法。
【発明の詳細な説明】
【技術分野】
【０００１】
本発明は、光測定器や可視光源などと、コネクタを具備しない光ファイバ心線（単心）とを接続する際に用いられる着脱可能な光ファイバアダプタおよび光ファイバ心線の装着方法に関するものである。
【背景技術】
【０００２】
光ファイバの導通確認などの目的で、光ファイバに可視光を入射する際、融着接続のような恒久接続によらず、着脱可能なコネクタ式の光ファイバアダプタを使用して光ファイバどうし、または光ファイバと光測定器等を接続するのが一般的である。このような従来の光ファイバアダプタは、光測定器や可視光源など、接続相手側アダプタの形状にマッチした形状に形成されたものが一般的である（例えば、特許文献１参照）。なお、出願人は、本明細書に記載した先行技術文献情報で特定される先行技術文献以外には、本発明に密接に関連する先行技術文献を出願時までに発見することができなかった。
【特許文献１】特開２００３−２９０８６号公報
【０００３】
前記特開２００３−２９０８６号公報に記載された光ファイバアダプタを図３に示す。この光ファイバアダプタは、光ファイバ６を位置決めするための貫通穴を有するフェルール５と、このフェルール５の外周に取付けられ前記フェルール５を接続相手と嵌合させるための機能を有するホルダ４と、このホルダ４の後部に一体に設けられた光ファイバ心線固定部１とを備えている。光ファイバ心線固定部１は、互いに対向する受け部２と押圧部３とを有し、この受け部２と押圧部３によって前記フェルール５の貫通穴に挿通される光ファイバ心線７を把持するようにしている。また、受け部２と押圧部３のそれぞれに下部把持部材１２と上部把持部材１３を設け、下部把持部材１２と上部把持部材１３の少なくとも一方を弾性部材で形成するとともに、少なくとも一方に光ファイバ心線７を収納するための溝１４を設けている。
【０００４】
光ファイバ６の端部を光ファイバアダプタに装着するには、光ファイバ心線７の先端部分の被覆を除去して光ファイバ６の端面を平滑にカットした後、光ファイバ心線７を受け部２と押圧部３との間の開口部よりアダプタ内に挿入し、光ファイバ６をフェルール５に挿入してその先端面をフェルール５の先端面と一致させた後、ばねの力により押圧部３を回動させて受け部２との開口部を閉じ、光ファイバ心線７の被覆部分を下部把持部材１２と上部把持部材１３とで把持して固定する。そして、ホルダ４をＳＣ、ＦＣコネクタなど接続相手側のアダプタに結合または螺合によって接続する。
【発明の開示】
【発明が解決しようとする課題】
【０００５】
しかしながら、上記した従来の光ファイバアダプタは、光ファイバ心線固定部１と心線把持部に相当する受け部２および押圧部３が取り外しができない一体型となっているため、光ファイバ心線固定部１内で心線詰まりが発生したとき心線屑を除去することが困難であるという問題があった。
また、受け部２または押圧部３が破損等によりその機能を十分に果たせなくなった場合、把持部分のみを取替えることができないため、修理あるいはアダプタ自体を新しいものと交換する必要があるといった問題もあった。
【０００６】
本発明は上記した従来の問題を解決するためになされたもので、その目的とするところは、心線詰まりが発生した場合でも心線屑を容易に取り出せるようにした光ファイバアダプタおよび光ファイバ心線の装着方法を提供することにある。
【課題を解決するための手段】
【０００７】
上記目的を達成するために第１の発明に係る光ファイバアダプタは、光ファイバ心線固定部と光ファイバ心線把持部とを備え、前記光ファイバ心線固定部を、光ファイバ心線の端部が挿入される本体と、この本体の一端側に取付けられたフェルールとで構成し、前記本体のフェルール側とは反対側の端面に嵌合孔を形成し、前記光ファイバ心線把持部を、前記光ファイバ心線が挿通される中心孔を有して前記光ファイバ心線固定部の嵌合孔に挿抜可能に嵌挿される弾性体と、この弾性体の前記中心孔に挿抜可能に挿入されることにより前記光ファイバ心線を前記中心孔に固定するとともに、前記弾性体を前記嵌合孔に固定する固定具とで構成したものである。
【０００８】
第２の発明は上記第１の発明において、前記嵌合孔をテーパ孔で構成し、前記弾性体を前記嵌合孔に嵌挿される円錐形状に形成したものである。
【０００９】
第３の発明は上記第１または第２の発明において、前記固定具を少なくとも一端に向かって細くなる細長い棒状体に形成したものである。
【００１０】
第４の発明は、光ファイバ心線固定部の嵌合孔に弾性体を嵌挿し、この弾性体の中心孔に光ファイバ心線を挿通して光ファイバの先端を前記光ファイバ心線固定部の先端に設けたフェルールに挿入し、前記中心孔に固定具を挿入することにより前記弾性体を前記嵌合孔に押し付けて固定し、前記光ファイバ心線を前記中心孔に押し付けて固定するようにしたものである。
【発明の効果】
【００１１】
第１の発明においては、心線詰まりが発生しても、光ファイバ心線把持部を光ファイバ心線固定部から抜き取ることにより、心線屑を容易に除去することができる。
また、光ファイバ心線把持部が破損したような場合は、光ファイバ心線把持部のみを交換するだけで対応することができる。
第２の発明においては、弾性体を嵌合孔に嵌挿すると、弾性体と嵌合孔の軸線を一致させることができる。
第３の発明においては、固定具がピン状の簡単な構造で容易に製作することができる。
第４の発明においては、固定具を弾性体の中心孔に差し込むだけで弾性体と光ファイバ心線を確実に固定することができる。
【発明を実施するための最良の形態】
【００１２】
以下、本発明を図面に示す実施の形態に基づいて詳細に説明する。
図１は本発明に係る光ファイバアダプタの一実施の形態を示す断面図、図２は光ファイバ心線把持部の断面図である。これらの図において、全体を符号２０で示す光ファイバアダプタは、光ファイバ心線固定部２１と、光ファイバ心線把持部２２の２部材で構成されている。また、光ファイバ心線固定部２１は、本体２３と、この本体２３の一端側に突設されたフェルール５とで構成されている。本体２３は、ガラス繊維強化樹脂等によって中空の円柱状に形成されることにより、内部中央に光ファイバ挿入孔２４と嵌合孔２５が連通して形成されている。光ファイバ挿入孔２４は、光ファイバ心線７の外径よりやや大きな穴径を有するストレートな孔からなり、一端が本体２３のフェルール側端面に開口し、前記フェルール５の基端部がフランジ２６とともに挿入されている。フェルール５はジルコニア等によって細長い筒状に形成されて光ファイバ６が挿通される挿通孔２７を有し、前記フランジ２６とともに本体２３と一体に形成されている。前記嵌合孔２５は、本体２３のフェルール５側とは反対側の端面に形成された内部に向かって小径化するテーパ状の孔からなり、前記光ファイバ挿入孔２４に連通している。
【００１３】
前記光ファイバ心線把持部２２は、シリコーン、ゴム等によって円錐形に形成され前記光ファイバ心線固定部２１の嵌合孔２５に嵌挿される弾性体２８と、細長い棒状の固定具２９とで構成されている。弾性体２８は、中心に光ファイバ心線７が貫通する中心孔３０を有している。前記固定具２９は、中央部が最も太く両端に向かって細くなるピン状に形成されている。固定具２９の先端は、光ファイバ心線７に傷を付けないようにするために丸められていることが好ましい。このような固定具２９は、前記弾性体２８が光ファイバ心線７とともに前記嵌合孔２５に挿入された後、前記中心孔３０に挿入される。なお、固定具２９は両端に限らず、少なくとも一端側のみを先端に向かって細くしたものであってもよい。
【００１４】
光ファイバ心線７の端部を光ファイバアダプタ２０に装着するには、先ず弾性体２８を本体２３の嵌合孔２５に嵌挿する。次に、光ファイバ心線７の先端部の被覆部分を除去し、光ファイバ６の端面を平滑にカットし清掃した後、光ファイバ心線７を弾性体２８の中心孔３０に挿通する。そして、光ファイバ６の先端部をフェルール５の挿通孔２７に挿入してその先端面を挿通孔２７の開口端面と一致させる。
【００１５】
次に、固定具２９を弾性体２８の中心孔３０に圧入することにより、前記ファイバ心線７を中心孔３０の穴壁に押し付けて固定するとともに、弾性体２８を拡径方向に弾性変形させて前記嵌合孔２５の穴壁に押し付けることにより、弾性体２８を嵌合孔２５に固定する。これによって、光ファイバ心線把持部２２が光ファイバ心線固定部２１に対して着脱可能に取付けられ、光ファイバアダプタ２０と光ファイバ心線７との装着作業を終了する。
【００１６】
固定具２９を弾性体２８の中心孔３０に差し込むと、光ファイバ心線７、中心孔３０および固定具２９との間に静止摩擦が働き、また嵌合孔２５と弾性体２８との間に同じく静止摩擦が働くため、光ファイバ心線７が弾性体２８から抜けたり、弾性体２８が嵌合孔２５から抜けて脱落するようなことはない。なお、光ファイバ心線７を光ファイバアダプタ２０から取り外すときは、固定具２９を弾性体２８の中心孔３０から抜き取り、弾性体２８を本体２３の嵌合孔２５から抜き出せばよい。
【００１７】
このような構造からなる光ファイバアダプタ２０によれば、心線詰まりが発生したとき、光ファイバ心線把持部２２を光ファイバ心線固定部２１から取り外すことにより、光ファイバ心線固定部２１内に残っている心線屑を容易に除去することができ、また弾性体２８または固定具２９が破損した場合には、破損した部品のみを交換するだけで対応でき、光ファイバ心線固定部２１自体はそのまま使用することができる。したがって、光ファイバアダプタ２０全体を新しいものと取り替える必要がなく経済的である。
【００１８】
また、本発明による光ファイバアダプタ２０は、図３に示した従来の光ファイバアダプタにおいて必要とされるホルダ４によるロック式コンタクトを採用せず、接続相手側アダプタとの接続をフェルール５の端面接触のみによって行うようにしているので、光ファイバ心線固定部２１の先端部が図１に２点鎖線で示す接続相手側アダプタ３２のフェルール挿入穴３３に挿入するだけでよい。
【００１９】
なお、上記した実施の形態においては、弾性体を円錐形に形成した例を示したが、本発明はこれに限らず円筒形のものであってもよい。
【図面の簡単な説明】
【００２０】
【図１】本発明に係る光ファイバアダプタの一実施の形態を示す断面図である。
【図２】光ファイバ心線把持部の断面図である。
【図３】光ファイバアダプタの従来例を示す外観斜視図である。
【符号の説明】
【００２１】
５…フェルール、６…光ファイバ、７…光ファイバ心線、２０…光ファイバアダプタ、２１…光ファイバ心線固定部、２２…光ファイバ心線把持部、２３…本体、２４…光ファイバ挿入孔、２５…嵌合孔、２７…挿通孔、２８…弾性体、２９…固定具、３０…中心孔、３２…接続相手側光ファイバアダプタ。
【図１】
2005107244.tif 000003
【図２】
2005107244.tif 000004
【図３】
2005107244.tif 000005